(57)【要約】【課題】高速の払出しに対応できる球払出装置を提供する。【解決手段】パチンコ球が連続で供給される球供給路２６と、外周に定ピッチで凸部３２と凹部３３の歯列が複数設けられた回転体２７と、パチンコ球が前記回転体２７に拘束されて運ばれる移送路２８とを備えた球払出装置１１であって、前記回転体２７の凸部３２上面を凹部３３にわたり軸心３０ａとの距離が漸次減少するように設定し、その凸部３２上面の一部に直線状面３２ａを形成した。【選択図】　図５
2004024348.tif 000002
【特許請求の範囲】
【請求項１】
パチンコ球が連続で供給される球供給路と、外周に定ピッチで凸部と凹部の歯列が複数設けられた回転体と、パチンコ球が前記回転体に拘束されて運ばれる移送路とを備えた球払出装置であって、
前記回転体の凸部上面を凹部にわたり軸心との距離が漸次減少するように設定し、その凸部上面の一部に直線状面を形成してなることを特徴とした球払出装置。
【請求項２】
前記移送路は、少なくとも回転体の側方から下方にかけてほぼ回転体の外周に沿った下傾面状に形成したことを特徴とする請求項１記載の球払出装置。
【発明の詳細な説明】
【０００１】
【発明の属する技術分野】
本発明は、パチンコ球を制御して払出する球払出装置に関するものであり、特に高速回転の払出しに対応する球払出装置に関するものである。
【０００２】
【従来の技術】
従来の球払出装置は、パチンコ球が一列に整列して導かれる供給通路に複数の歯列（凹凸部）が所定間隔に並設されるスプロケットを臨ませて、モータ等の電気的駆動源により１個単位でパチンコ球を払出すようにした球払出装置が知られている。この装置によれば１個単位の払出しは可能であるものの、インターバルを含めて１分間に１，０００個以上の高速の払出しになるとパチンコ球の凹部への咥え込みが間に合わなくなり球噛みして払出しができなくなり、咥え込みを早くしようと凹部を浅くすると咥え込みがあまくなって咥え込みきれずにパチンコ球が弾んで踊り、余計に高速での払出しができなくなるという問題がある。
【０００３】
また、賞球等の払出しに時間がかかると、特に大量の入賞球が発生する大当り時には払出しが追いつかず入賞球が溢れ、大入賞口の開閉に支障をきたす等の不具合を起す問題があり、高速での払出しが望まれている。
【０００４】
そこで、凸部から凹部にかけて緩やかに下傾する半三日月形に形成して、早く凹部に咥え込ませるようにして高速の払出しを可能とする球払出装置が開示されている。（特開平５−３４５０６９号公報参照）
【０００５】
【発明が解決しようとする課題】
しかしながら、上記球払出装置は、凸部から凹部にかけて緩やかに下傾しているために高速の払出しは可能となるものの、凸部が凸弧状の円弧であるがために凹部に咥え込むまでの移動距離がどうしても長くなり、その分凹部に咥え込ませるまでに時間がかかり払出し速度に限界があった。
【０００６】
また、上記球払出装置は、球通路の一部である球切り通路が回転体の上方から側方にかけて設けられており、回転体が高速でパチンコ球を払出すと回転体の回転方向にパチンコ球を運ぶ作用が生じるために、排出通路の側壁で衝撃を受けて払出しがスムーズに行われないことがあり、悪くすると凹部でパチンコ球を咥え込んだ状態で球噛みするという問題があった。
【０００７】
さらに、軸上でパチンコ球を支持するも係合爪の背側が半三日月形の凸弧面に形成され、該凸弧面で支持されるパチンコ球の球心と凸弧面の接触点を結ぶ仮想線が軸方向に向わず回転方向に向うため、係合爪に球圧が掛かると球圧によって回転体が回転してしまい不用意にパチンコ球を払出してしまうという問題があった。
【０００８】
そこで本発明は、従来技術の有するこのような問題点に鑑みてなされたものであり、その目的とするところは、高速の払出しに対応できる球払出装置を提供しようとするものである。
【０００９】
【課題を解決するための手段】
上記目的を達成するために、請求項１記載の発明は、パチンコ球が連続で供給される球供給路と、外周に定ピッチで凸部と凹部の歯列が複数設けられた回転体と、パチンコ球が前記回転体に拘束されて運ばれる移送路とを備えた球払出装置であって、前記回転体の凸部上面を凹部にわたり軸心との距離が漸次減少するように設定し、その凸部上面の一部に直線状面を形成してなることを特徴とする。前記凸部から凹部にかけて巴でありながら一部を直線状面に形成することにより、パチンコ球を凹部に早く受入れることができると共に素早く拘束を解除することができ回転体の高速化を促すようにした。前記凹部はパチンコ球の半球分以下が嵌入し得る深さに形成するのが好ましい。なお、ここでいう「パチンコ球の半球分以下が嵌入し得る深さ」とは凹部に受入れられたパチンコ球の下端から前記凸部の高さ位置までを意味し、凹部に受入れられたパチンコ球の下端が必ずしも凹部の底部に接触している必要はない。
【００１０】
前記凸部上面は直線状面からなり、該直線状面の端部を凹部との連接部とするのがよい。好ましくは前記端部と回転体の回転軸心を結ぶ仮想線が前記直線状面と直交するようにするのがよい。
【００１１】
前記凸部上面は直線状面と円弧状面とからなり、前記凸部形状の直線状面および円弧状面のそれぞれに回転体の回転軸を中心とした内接円との接点を有しないのが好ましく、直線状面が内接円と接する手前で円弧状部と連接するようにするのがよい。つまり、凸部上面に支持されたパチンコ球の球圧が確実に軸心に向って作用することなく、僅かに回転方向に向って作用することで回転がスムーズとなり、より高速の払出しに適するものとなる。また、駆動源としてのモータはトルクが小さいモータを使用することができ、コストの低減を図ることができる。
【００１２】
前記直線状面を凸部の回転方向始端部に設けるのが好ましく、凹部に受入れられたパチンコ球と後続のパチンコ球間に凸部の先端がパチンコ球に干渉することなくスムーズに入り込むことができる。
【００１３】
また、前記凸部上面を該凸部上面でパチンコ球を支持した際に球圧が回転体の回転軸に向うように作用する形状とするのが好ましく、パチンコ球が前記凸部上面で支持された際には球圧がかかっても回転モーメントを生じさせることがなく回転体の過回動を防止することができる。具体的には前記凸部上面の回転軸心からの距離の逓減率が小となり、凸部上面終端の軸心距離から外方に０．５ｍｍ幅以内（好ましくは０．１５〜０．２ｍｍ）の円弧面（回転軸心を中心とする）の範囲内に在る凸部上面においては、球圧がほぼ軸心に向って作用する。このとき凸部上面の曲率が大きいほど前記範囲内の凸部距離が長くなる。
【００１４】
また、ここでいう「凸部から凹部にわたり軸心との距離が漸次減少する」とは、凸部から凹部にかけての一部に軸心との距離が同一距離となる真円弧状面を形成するものをも含む。このとき真円弧状面で支持されるパチンコ球の球圧は確実に軸心方向に向うように作用し、真円弧状面で支持される限り球圧により回転体を回転させることはない。なお、前記凸部上面は直線状面と真円弧状面とで構成するようにしてもよい。
【００１５】
前記凸部上面で支持されたパチンコ球の球心と接触点を結ぶ仮想線が軸心に向うように、該凸部上面に軸心を中心とする内接円または外接円の接点を有するようにするのが好ましく、該接点においてパチンコ球を支持させることで球圧が軸心に向って作用することから球圧による過回動を防止することができる。なお、前記接点が前記直線状面に在る場合には必ず直線状面が円弧状面の接線となる直線状面の端点であり中間位置にはありえない。というのも、直線状面の中間位置にあると凸部上面が「軸心との距離が漸次減少する」ことにならないからである。
【００１６】
請求項２記載の発明は、請求項１記載の発明において、前記移送路は、少なくとも回転体の側方から下方にかけてほぼ回転体の外周に沿った下傾面状に形成したことを特徴とする。移送路が高速の払出しによって回転方向に運ばれようとするパチンコ球の流下方向に沿って設けられることで流れがスムーズとなる。ここでいう「下傾面状」とは直線状であっても円弧状であってもよく、好ましくは移送路をほぼ回転体の回転中心を曲率中心とする円弧状に形成するのがよい。また、排出口を前記回転体の軸の下方寄りに設けるのが好ましく、ここでいう「排出口」とは、パチンコ球が回転体の拘束から解放される部位を意味する。また、移送路を回転体の軸心との距離が漸次増大するように設定し、上流側より下流側を拡幅状に形成するのが好ましく、遠心力によって徐々に拡幅する移送路の側壁に沿って移動させて拘束を解除するようにするのがよい。また、前記移送路に連通して設けられる排出通路を前記移送路に接線状または下傾状に設けて、回転体の拘束から解除されたパチンコ球をスムーズに排出するようにするのがよい。
【００１７】
前記球供給路は、始端部をパチンコ球が複数列または半複数列に並列し得る幅広の通路幅に形成すると共に、前記回転体が臨む終端部をほぼパチンコ球１個分に縮幅するのが好ましい。球供給路をパチンコ球が複数列または半複数列に並列し得る幅広の通路幅に形成することで、ランダムに連続するパチンコ球の球心間の距離がパチンコ球径（約１１ｍｍ）より小さくなるので、パチンコ球が払出される際にパチンコ球間に隙間が空いて途切れることがなく、連続して供給されることにより高速の払出しにも対応することができる。
【００１８】
また、前記球供給路の縮幅方向は特に限定されるものではなく、前記回転体の回転方向と同じ平行面内であっても回転方向と直交する回転軸方向であってもよい。また、前記球供給路は、前記回転体の回転を促す方向に通路幅を狭めるようにするのが好ましい。
【００１９】
パチンコ球が連続して供給される球供給路と、前記球供給路に臨み最先のパチンコ球を拘束する回転体と、前記回転体を駆動するモータと、前記回転体の拘束から解放されたパチンコ球を検知する検出センサとを備え、前記検出センサで所定個数の払出しを検知後前記モータへの電源供給を停止するようにした球払出装置であって、前記回転体は周面に、パチンコ球を受入れる窪状の凹部と、少なくとも一部に球圧が回転軸に向うように作用する球支持部を有する凸部を複数等間隔に設け、前記モータへの電源供給停止後にモータの惰性または球圧により回転し得るストップゾーンを加味して前記回転体および検出センサを配設するのが好ましい。前記ストップゾーンは、モータの惰性により回転し得るオーバーゾーンと球圧により回転し得るスリップゾーンにより構成される。このため、所定個数のパチンコ球を払出してモータをオフした後、惰性および球圧により回転体が過回動した場合でも球圧が回転軸に向うように作用する球支持部（例えば回転体の軸心を中心とする真円状の円弧面）でパチンコ球が支持され、回転モーメントを生じさせることがないためモータの駆動以外ではそれ以上回動することはなく無用の払出しをすることがない。ここでいう「スリップゾーン」とはモータの駆動に関係なく球供給路のパチンコ球の球圧により回転体に回転モーメントを生じさせ、回転体が回転し得る範囲を意味する。当然のことながら、ストップゾーンは回転体のピッチ角より小さく設定される。（ストップゾーン＜回転体のピッチ角）これはストップゾーンが大きいとパチンコ球が余分に払出されることになるからである。また、前記モータへの電源供給停止後モータの惰性により回転し得るオーバーゾーンの範囲内で球圧が回転軸に向うように作用する球支持部に支持するようにしてもよい。なお、モータはオーバーゾーンが小さく設定できるステッピングモータが好ましく、このことからモータの種類によってはオーバーゾーンがスリップゾーンともなりうる。
【００２０】
また、本発明の球払出装置は、貸球または賞球の払出しは勿論のこと、パチンコ遊技機間に設けられる球貸し機、あるいは球タンクへの補給機，ジェットカウンター等の球計数機にも適用することができる。
【００２１】
また、本発明の球払出装置は、パチンコ遊技機に限定されることなく、雀球遊技機，アレンジボール式遊技機，パチンコ球を使用した回胴式または画像式のスロット遊技機（パチロット）等の他の遊技機にも適用できることは言うまでもない。特に、スロット遊技機（パチロット）においては、遊技が１ゲーム毎に精算して行われ、しかも賞球の精算後しか次のゲームが開始できないようになっているために、賞球の高速での払出しが望まれており、本発明のように高速での払出しが可能な球払出装置は最適である。
【００２２】
【発明の実施の形態】
以下に本発明を図面を参照して説明する。図１は本発明に係る球払出装置が装着された遊技機としてのパチンコ遊技機の裏面図である。図において、１はパチンコ遊技機の機枠、２は前記機枠に開閉自在に装着される前面枠、３は前面枠２の後面に着脱自在に取付けられる遊技盤であって、該遊技盤３の裏面には入賞球集合カバー４が配設されており、該入賞球集合カバー４の裏面に基板ボックス５が装着されている。該基板ボックス５にはパチンコ遊技機の遊技内容を制御するための回路基板が収納されている。
【００２３】
６は遊技盤３の裏面に装着される機構板であり、合成樹脂によりほぼ方形状に形成されている。この機構板６のほぼ中央には窓部７が開設されており、前記基板ボックス５および遊技盤３に設けられる可変表示装置等の中央役物の後部を臨ませている。前記窓部７の上方にパチンコ球を貯留する球タンク８が取付けられ、該球タンク８の下方にはパチンコ球を整列して導き出す球誘導樋９が設けられている。そして、前記球誘導樋９の下流端は、屈曲誘導樋１０を介して所定数のパチンコ球を払出す球払出装置１１に接続されており、該球払出装置１１の下方には、払出されたパチンコ球を前面枠２の前面側に設けられる打球供給皿（図示せず）へ導くための排出樋１２が形成されている。１３は板状部に設けられる球払出装置１１の制御回路である。
【００２４】
前記球タンク８は、側壁１４および底壁１５により上面が開口する平面略長方形の箱状に形成され、底壁１５の下流端部であり、かつ前後幅のほぼ中央に球誘導樋９の上流端部分に対応して、長方形状の球導出口１６が開設される。そして、底壁１５はほぼ平坦面であり、図２０に示すように球導出口１６に向って約３°の緩やかな下り傾斜としている。
【００２５】
前記球誘導樋９は、図２０および図２１に示すように、機構板６に接する後面壁１９と、該後面壁１９に対向する前面壁１８および底壁２０とにより上面が開口して形成され、パチンコ球を整列して前記球払出装置１１に導く断面凹溝状の主流路２１が形成される。そして、その両側に前後面壁１８，１９を湾曲状に膨出して下流側で前記主流路２１に合流する副流路２２ａ，２２ｂが段差を介して該主流路２１の底壁２０より高い位置が支持面となるように拡幅状に並設されている。また、前記球タンク８の導出口１６の下方に位置する主流路２１および副流路２２ａ，２２ｂの始端部を同一面９ａとして、導出口１６からの球圧を幅方向に分散するようにしている。また、主流路２１の下流側に複数段で流下するパチンコ球を一段に球均しすると共に前面壁１８側からの球零れを防止する蓋部材２３が緩やかな下傾状に設けられている。なお、該蓋部材２３は固定式であっても所定範囲で上下に可動する可動式であってもよい。
【００２６】
前記主流路２１の通路幅はパチンコ球が半複数列で流下し幅方向に平行に２個並ばない約２１ｍｍの幅広の幅員としている。これは、主流路２１が通常の１２ｍｍの幅員であると連続するパチンコ球の球心距離が球径と同じ１１ｍｍとなるが、幅員を２１ｍｍとすることにより主流路２１にパチンコ球が接触した状態でジグザグ状に並び後続のパチンコ球との球心距離が球径の約半分の５．５ｍｍとなる。すると、球払出装置１１が高速で払出しを行ってもパチンコ球間に隙間が空くことがなく接触状に連続して流下し、パチンコ球の間隙によるトラブルを未然に防いで確実に供給し続けることができる。
【００２７】
また、前記副流路２２ａ，２２ｂは、後面側に位置する一方の副流路２２ｂをパチンコ球よりやや幅広の約１４ｍｍの通路幅をとして下流側を次第に狭くなる約３２０Ｒの円弧状に形成し、他方の前面側の副流路２２ａをパチンコ球が複数列または半複数列にランダムに流下し得る約３６ｍｍの通路幅として球誘導樋９全体のパチンコ球貯留量が多くなるようにしている。そして、それぞれの副流路２２ａ，２２ｂは主流路２１の４°傾斜より緩やかな２°および３°の下り傾斜として、主流路２１に比べて流速を抑えている。また、前記副流路２２ａ，２２ｂの主流路２１との合流地点１７ａ，１７ｂは、主流路２１の中間から後半部に位置しており、前面側の副流路２２ａが後面側の副流路２２ｂより下流側で前記主流路２１と合流するように合流地点１７ａを流下方向にパチンコ球約２個分ずらしている。これは、合流地点１７ａ，１７ｂで双方の球圧が一気に掛からないように分散して球詰りするのを防止している。ここでいう「合流地点」とは副流路２２ａ，２２ｂのパチンコ球が膨出した湾曲状の前後面壁１８，１９により誘導され副流路２２ａ，２２ｂの支持面から強制的に外れ主流路２１側に流落し得る部位を意味し、この実施の形態においてそれぞれ副流路２２ａ，２２ｂの終端からパチンコ球２〜３個分の範囲である。
【００２８】
さらに、後面側の副流路２２ｂと前面側の副流路２２ａとのパチンコ球の支持面の高さを異ならしており、前面側の副流路２２ａを後面側の副流路２２ｂより低く設定して、前面側の副流路２２ａを流下するパチンコ球が後面側の副流路２２ｂを流下するパチンコ球より低い位置で主流路２１に合流するようにしている。これは高さ方向に球圧をずらして球詰りを防止するだけではなく、前面側の副流路２２ａの方が後面側の副流路２２ｂ側に比べ流下するパチンコ球の数量および傾斜角度の差により球圧が大きいため合流させやすいからである。具体的には後面側の副流路２２ｂの合流地点１７ｂの主流路２１との段差は、パチンコ球１個分以上の１２．５ｍｍであり、前面側の副流路２２ａの合流地点１７ａの主流路２１との段差は、パチンコ球の半球以上１個未満であり、この実施の形態において後面側の副流路２２ｂの合流地点１７ｂと３ｍｍ程度の高低差がある約９．５ｍｍとしている。この高さは接触状態で流下するパチンコ球とパチンコ球の間に同一面内で載ったパチンコ球のほぼ下端高さに匹敵し、主流路２１を流下する最下段のパチンコ球とパチンコ球の間に副流路２２ａのパチンコ球がスムーズに入り得る高さである。この実施の形態において、前記後面側の副流路２２ｂと前面側の副流路２２ａの高低差は、夫々の始端部を同一高さとしてそれぞれの傾斜角の相違によって生じるようにしている。なお、各副流路２２ａ，２２ｂの幅員および傾斜角度は前後異ならせることなく、同一幅，同一傾斜としてもよいのはいうまでもない。
【００２９】
前記屈曲誘導樋１０は、前記球誘導樋９との接続部である球通路２４の始端部から屈曲部終端までの屈曲通路部の幅員をパチンコ球が２個並列し得る２４ｍｍの通路幅として、その下方の垂直通路部を徐々に２１ｍｍの通路幅に狭めるようにしている。そして、前記球誘導樋９との接続部の球通路２４を球誘導樋９の主流路２１の傾斜より急な約１０°として、多段に積み重なったパチンコ球を該傾斜差により下段のパチンコ球の流速を速くして、上段のパチンコ球を下段のパチンコ球間に入り込ませて整流するようにしている。また、屈曲誘導樋１０の始端部を２４ｍｍの幅広とすることで幅方向に球誘導樋９の球圧が拡散し、前後上下の四側で囲まれた球通路２４で始端部が上下方向に対しても球径より余裕があることから球圧により対角状に球詰りするのを未然に防いで、屈曲部でのパチンコ球の流下をスムーズにすることができる。なお、球通路２４を２４ｍｍの幅員から２１ｍｍの幅員に絞り込む際に一側を平坦面として他側面のみを絞り込むようにするのが好ましい。
【００３０】
次に、図２乃至図８を参照して本発明に係る球払出装置１１の構成について説明する。球払出装置１１は、一対の枠体２５ａ，２５ｂからなる箱枠状のケース２５に前記屈曲誘導樋１０の球通路２４と連通しパチンコ球が連続で供給される球供給路２６と、該球供給路２６に臨みパチンコ球を拘束する回転体２７と、パチンコ球が前記回転体２７に拘束されて運ばれる移送路２８と、前記回転体２７の拘束から解放されたパチンコ球が払出される排出通路２９とを備えている。そして、前記ケース２５の枠体２５ａに前記回転体２７を駆動する電気的駆動源としてのモータ３０が取付けられ、該モータ３０のモータ軸３０ａに前記回転体２７を装着して回転するようにしている。なお、前記モータ３０はこの実施の形態においてステッピングモータが使用される。
【００３１】
前記球供給路２６は、図５に示すように前記屈曲誘導樋１０の球通路２４に接続する始端部をパチンコ球が半複数列でランダムに流下し得る２１ｍｍの幅広の内幅とし、前記回転体２７が臨む終端部は一側を緩やかな円弧状の傾斜側壁２６ａにより漏斗状に徐々に絞り込んでパチンコ球ほぼ１個分の１２ｍｍに縮幅している。そして、前記移送路２８をほぼ回転体２７の回転中心３０ａを曲率中心とする円弧状に形成して、ほぼ回転体２７の側方から下方にかけて回転体２７を巻回するように外周に沿った下傾面状としている。これは、高速の払出しの際に凹部３３による咥え込みが強くなり、回転体２７の回転方向にパチンコ球を運ぶ作用が生じるため、スムーズに拘束を解除させるためである。好ましくは、移送路２８の曲率中心を僅かに回転体２７の回転中心３０ａよりずらして徐々に通路幅が広がるように設定し、凹部３３の咥え込みによって作用する遠心力により回転体２７に対向位置する下傾面状の内側壁に沿わせながら回転体２７の拘束を解除するのがよい。つまり、移送路２８は回転軸心３０ａとの距離が漸次増大するように設定するのがよく、パチンコ球が回転体２７の拘束から解放される排出口が軸心３０ａの下方寄りとなるようにするのがよい。なお、前記移送路２８は湾曲状に限ることなく直線状の下傾斜面としてもよい。また、排出通路２９は前記移送路２８の接線方向に傾斜して設けられ、終端を緩やかな円弧状に形成して回転体２７の拘束から解除されて払出されたパチンコ球の流勢を減衰させるようにしている。
【００３２】
３１は前記排出通路２９に払出されたパチンコ球を検出するセンサであり、該センサ３１は発光部と受光部とからなる光学式センサである。しかも、排出通路２９の中心線からずれた位置でその光軸が交差するように配置され、前記回転体２７による拘束から解放されたパチンコ球が光軸を遮ることで該パチンコ球を検知し得るように配置される。なお、前記検出センサ３１は近接スイッチであってもよい。
【００３３】
前記回転体２７は略パチンコ球１個を支持する厚み（この実施の形態において約８ｍｍ）を有する直径約３０ｍｍの円盤状であり、外周に定ピッチで凸部３２と凹部３３の歯列が複数（この実施の形態において４箇所）設けられている。そして、前記回転体２７の中心孔２７ａをモータ軸３０ａに固着し前記モータ３０の回転により拡幅状の球供給路２６の幅方向に回動するようにしている。なお、回転体２７はアルミ合金等によりダイカスト成形してもよく、当然のことながら強度に優れしかもパチンコ球に帯電した静電気を該回転体２７を介して放電し、静電気による障害を未然に防止することができる。
【００３４】
前記凹部３３は、図６に示すようにほぼパチンコ球径に等しい円弧凹部としてその深さＤはパチンコ球の半球分以下（好ましくは２．５〜５ｍｍ程度）が嵌入し得る深さに形成している。また、凸部３２上面を凹部３３にわたり軸心距離が漸次減少するように直線状面３２ａと凸状の円弧状面３２ｂとで巴状に形成している。具体的には前記凹部３３の深さＤは、パチンコ球の半球分以下が嵌入し得る深さで球心を支持しない約４ｍｍとしている。一方、前記直線状面３２ａは凸部３２の始端部に凹部３３に向って約２５°に下傾して形成され、該直線状面３２ａの距離は回転体２７の約１６°分の距離で約４．３ｍｍである。そして、該直線状面３２ａに連通して２０Ｒの緩やかな凸状の円弧状面３２ｂにより凹部３３にむかって巴状に形成され、凹部３３とは３Ｒの円弧面にて連設している。なお、前記凸部３２形状は直線状面３２ａおよび円弧状面３２ｂのそれぞれに回転体２７の回転軸３０ａを中心とした内接円を有しておらず、直線状面３２ａが内接円と接する手前で円弧状部３０ｂと連接するようにしている。このようにすることで、凸部上面に支持されたパチンコ球の球圧が確実に軸心に向って作用することなく、僅かに回転方向に向って作用することにより高速の払出しがスムーズとなる。さらに、駆動源としてのモータ３０はトルクが小さくてもよく、コストの低減を図ることができる。なお、前記凸部３２と凹部３３とを３Ｒの円弧面により連接するようにしたが、より緩やかな円弧面で連接するようにしても角部で連接するようにしてもよい。また、前記円弧状面３２ｂの形状は実施の形態で示した２０Ｒの円弧面に限定されるものではなく、例えばより緩やかな３０Ｒの円弧面であっても楕円弧面であってもよい。
【００３５】
なお、凸部３２上面を凹部３３にかけて軸心距離が漸次減少するようにしたが、図９に示すように凸状の円弧状面３２ｂの一部を軸心距離が同一となる軸心３０ａを中心とした真円弧状面３２ｃとしてもよい。このとき直線状面３０ａと真円弧状面３２ｃの接続点は、直線状面３０ａが真円弧状面３２ｃの接線となる接点である。
【００３６】
また、前記直線状面３２ａの終端から円弧状面３２ｂにかけて支持されるパチンコ球の球圧は、ほぼ軸心３０ａに向うように作用する。つまり、前記直線状面３２ａの終端から円弧状面３２ｂにかけて回転軸心３０ａからの距離の逓減率が限りなく０に近づく小となり、凸部３２上面終端の軸心３０ａ距離から外方に０．５ｍｍ幅以内の回転軸心３０ａを中心とした円弧面、言い換えれば直線状面３２ａの終端から軸心３０ａ方向の内方に０．５ｍｍ幅以内の回転軸心３０ａを中心とした円弧面の範囲内に在る凸部３２上面においては、この範囲で支持されたパチンコ球の球心から該パチンコ球の接触点に向けて引かれる仮想線がほぼ軸心３０ａ方向に向う。このことから、パチンコ球の球圧がほぼ軸心３０ａに向って作用することになり、球圧がかかっても回転体２７を回転させる回転モーメントが生じることがなく球圧により過回動することがない。当然前記円弧面の幅を例えば０．１５〜０．２ｍｍと狭くした範囲内に在る凸部３２上面においては、形状が軸心３０ａを中心とした真円に近くなり、より球圧は軸心３０ａに向って作用する。さらに詳しくは、凸部３２形状の直線状面３２ａまたは円弧状面３２ｂに軸心３０ａを中心とする内接円または外接円の接点を有することにより、該内接円および外接円の接点近傍で支持されたパチンコ球の球圧はほぼ軸心３０ａに向って作用することになる。
【００３７】
そして、図５に示すように前記球供給路２６の下方に位置して回転体２７が設けられると共に検出センサ３１が配設される。また、前記円弧状の移送路２８と回転体２７との関係は、パチンコ球が凸部３２に支持された状態では移送路２８に流入し得ず、パチンコ球が前記凹部３３に咥えられた時にのみ回転し得る間隔となっており、本実施の形態において凹部３３の底部と移送路２８の側壁との距離（通路幅）を１１．３ｍｍ〜１２．５ｍｍとしている。なお、前記移送路２８での幅員の遊びを少なくして、低速回転においてもパチンコ球が前記凹部３３に咥えられた状態で移送されるように幅員を設定するのがよく、好ましくは球径とほぼ等しい１１．５ｍｍである。幅員の遊びを少なくすることで検出センサ３１の検出波形も安定し、パチンコ球の検知が確実なものとなる。さらに、回転体２７の軸３０ａ方向の幅員の遊びを規制するのが好ましく、例えば図１０に示すようにレール状に突条３９，３９を設けることにより規制するようにしてもよい。また、図１１に示すように移送路２８の回転体２７寄りの両側壁に突条４０，４０を設け、該突条４０，４０により回転体２７の軸３０ａ方向および該軸３０ａと直交する方向の幅員の遊びを規制するようにしてもよい。なお、前記突条３９および突条４０を図上それぞれ１対設けるようにしたが、片側の突条３９，４０により壁面側に規制するようにしてもよい。また、回転方向にも規制する前記突条４０，４０は移送路２８の前記検出センサ３１のほぼ検知部近傍（検知部の１〜２ｍｍ前後）位置まで設けるのが好ましく、高速の払出しが行われても安定した検出波形が得られ、静電気による誤作動と区別することができる。
【００３８】
前記回転体２７の制御は前記制御回路１３を介して行われ、前記検出センサ３１により所定の個数のパチンコ球が検知されると、この検知信号によりステッピングモータ３０への電源供給を停止して回転体２７の回転駆動を停止する。
【００３９】
上記構成の球払出装置１１は、図２に示すようにケース２５に形成された差込片３５，３５と鉤片３６とを機構板６に形成された受片部３７，３７と係合孔３８にそれぞれ係合させることで取着される。具体的には、鉤片３６を係合孔３８に臨ませると共に前記差込片３５を受片部３７上方に位置させ、球払出装置１１を下方に引き下げることで前記差込片３５を受片部３７に係合支持させると共に鉤片３６を係合孔３８に係合して取着される。この状態で前記屈曲誘導樋１０を装着することで、球払出装置１１の上動が規制阻止され無用に外せない状態となる。なお、取着時にゴム，ウレタン等の弾性体を介して取着するようにして、モータ３０の作動時に少なくとも球払出装置１１の上部が振動するようにしてもよい。この振動により球供給路２６および上方に設けられる屈曲誘導樋９に適度な振動を与えて球詰りを解消または防止することができる。
【００４０】
次に、前記球払出装置１１の払出し動作について図７および図８を参照して説明する。前記屈曲誘導樋１０の球通路２４から球供給路２６にパチンコ球が供給され、図７（ａ）に示すように最先のパチンコ球Ｂ１が凸部３２の直線状面３２ａから円弧状面３２ｂに支持されて球供給路２６内にランダムに並ぶ。この状態で前記制御回路１３を介して貸球または賞球の払出し信号が発せられるとモータ３０に電源が供給され、回転体２７を図７において矢印で示す時計回り方向に回転駆動させる。すると、球供給路２６の最先のパチンコ球Ｂ１は図７（ｂ）に示すように凸部３２からすぐに凹部３３に受入れられて移送路２８を移動し、図７（ｃ）に示すようにパチンコ球Ｂ１，Ｂ２間に凸部３２の先端が入り込んで後続のパチンコ球Ｂ２が直線状面３２ａに支持される。このとき、図８（ａ）〜（ｃ）に拡大して示すように凸部３２の先端が直線状面３２ａであることから後続のパチンコ球Ｂ２と干渉することがないため、パチンコ球Ｂ２を持ち上げたり移動させたりして強引に入り込むことがなく、図８（ｃ）に示すように無理なくスムーズにパチンコ球Ｂ１，Ｂ２間に入り込み直線状面３２ａでパチンコ球Ｂ２を確実に支持することができる。そして、さらに回転体２７が回動すると、図７（ｄ）に示すようにパチンコ球Ｂ１が凹部３３の拘束から解放されてセンサ３１で検出され排出通路２９に落下し、排出樋１２に排出され、球供給路２６内の最先のパチンコ球が凸部３２の直線状面３２ａから円弧状面３２ｂに支持されることになる。
【００４１】
このようにして、パチンコ球の払出しが連続して行われると、凸部３２上面に直線状面３２ａがあるため、回転体２７がスムーズに回転してパチンコ球が凹部３３に素早く咥え込まれることになる。そして、所定個数のパチンコ球がセンサ３１により検知されると停止信号により電源供給を停止してモータ３０の駆動がオフする。このとき、払出しが低速で行われると凹部３３で受けられたパチンコ球は移送路２８の幅員に余裕があるためにパチンコ球の自重により凸部３２の円弧状部３２ｂに支えられながら下動するが、パチンコ球の自重落下より高速で払出しが行われると凹部３３で確実にパチンコ球を咥えた状態で送り出すことができ球噛みすることがない。また、高速で払出しが行われると凹部３３で咥えられたパチンコ球を回転体２７の回転方向に運ぶ作用が生じるが、移送路２８が軸心３０ａの側方から下方にかけて回転体２７を巻回するように下傾面状に設けられているため、凹部３３で咥え込みながら回転体２７に沿って移送され、パチンコ球の拘束を無理なく解除して確実に払出すことができる。しかも、前記検出センサ３１が回転体２７の回転方向に相対する側壁側に沿って位置をずらして設けられているため、チャタリングを起すことなくパチンコ球が確実に検出されることになる。
【００４２】
上記したように前記球払出装置１１は、凸部３２上面を凹部３３にかけて一部直線状面３２ａに形成したので、その分パチンコ球が凹部３３に咥え込まれるまでの時間を早くすることができ、それに伴いパチンコ球の送り出しが早くできてインターバル（０．４秒）を含めて１分間に１，０００個以上を払出す高速の払出しが可能となる。例えば上記した凸部３２の始端部と終端部の軸心距離を同一として、凸部上面を従来の円弧面のみによる巴形状にした状態の球位置と直線状面とした球位置とは約０．３〜０．４ｍｍの高さの相違があり、この僅かな差によりパチンコ球が早く凹部３３に咥え込まれ、さらにパチンコ球を側壁に押さえ込むことがなく回転体２７がスムーズに回転するようになる。また、従来の円弧面のみにより巴形状にした場合と異なり、凸部上面により移送路２８側壁にパチンコ球を押さえつけるような作用が働かず回転体２７がスムーズに回転する。
【００４３】
なお、ここでいう「パチンコ球の半球分以下が嵌入し得る深さ」とは凹部３３に受入れられたパチンコ球の下端から前記凸部３２の最高の高さ位置までを意味している。また、凹部３３に受入れられたパチンコ球の下面は、必ずしも凹部３３の底部に全体が接触している必要はなく、図１２（ａ），（ｂ）に示すように二点または三点支持するＶまたはＵ溝状であっても、図１３（ａ），（ｂ）に示すように一部にパチンコ球の円弧面とほぼ合致する凹弧面を残した凹部３３であってもよく、パチンコ球の半球分以下が嵌入しパチンコ球を支持するようにすればよい。このように、凹部３３全体をパチンコ球の円弧面と合致しないようにすることで、凹部３３にパチンコ球が咥え込まれた際にできる溝部に、球供給路２６に入りこんだ埃やゴミが溜まりパチンコ球が直接埃やゴミに接触することがなく、塵埃による払出しの弊害をなくして球の流れをスムーズにすることができる。なお、凹部３３の形状は上記形状に限定されるものではなく、凹部３３に受入れられるパチンコ球の支持位置を変化させない状態で多様に変化可能である。また、図１２（ｂ）および図１３（ｂ）に示したように凹部３３の形状を回転体２７の回転方向でパチンコ球を支えるようにすることで、回転体２７の回転速度に関係なくパチンコ球を凹部３３に咥え込むように移送することができ、後続のパチンコ球に凸部３２先端が干渉するようなこともなくスムーズな回転が可能となる。
【００４４】
また、球供給路２６の通路幅をパチンコ球が複数列または半複数列にランダムに並ぶ幅広にすることにより、該球供給路２６に位置するパチンコ球の球心がずれて連続する球間隔が球径より小さくなり、高速で払出しが行われてもパチンコ球間に隙間ができず連続して供給でき、いわゆる「大当り」になって短時間に大量の賞球が払出される際にも空出しすることなく確実にパチンコ球を咥えて払出しを行うことができる。
【００４５】
このとき球供給路２６内のパチンコ球は、例え少数の払出しでも図７（ａ）〜（ｄ）に示すように上下方向だけでなく左右方向にもランダムに動き得るため球圧が四方に分散すると共に、パチンコ球どうしの接点がずれてパチンコ球の配列が変化することにより球詰まりが発生することはない。そして、パチンコ球が払出されるたびに通路内のパチンコ球がランダムに動き、通路内で並び方が変化して適度な振動が発生し、それがバイブ効果となって屈曲誘導樋１０は勿論のこと上流の球誘導樋９および球タンク８の球詰りを防止または解消することができる。
【００４６】
また、球供給路２６をパチンコ球が複数並列する幅広とすると、球誘導樋９でパチンコ球を整列する必要がないので、例えば球タンク８の球導出口１６に直接設けることも可能となる。このとき球払出装置１１の球供給路２６を図示したように垂直状の球供給路２６に限らず球圧を減少させるために傾斜状に設けるようにするのが好ましい。
【００４７】
なお、上記実施の形態において回転体２７の停止状態を、凹部３３でパチンコ球を受入れることなく凸部３２で最先のパチンコ球を支持した状態としたが、この状態に何等限定されるものではなく、最先のパチンコ球を凹部３３に受入れて後続のパチンコ球を凸部３２で支持した状態としても複数の凹部３３にパチンコ球を受入れた状態としてもよい。
【００４８】
また、特に高速の払出し時によっては停止信号を受けてからもモータの回転惰性により回転体２７が余分に回転し得ることがある。さらに、球圧によって回転体２７に回転モーメントの作用が働き過回動することがあり、不用意にパチンコ球を余分に払出す可能性がある。そこで図１４乃至図１６を参照して上記問題を解決する球払出装置について説明する。
【００４９】
この実施の形態における回転体２７は、図１４に示すように確実を期すために凸部３２に球圧が確実に軸心３０ａに向うように作用する軸心３０ａを中心とする真円弧状面３２ｃを有している。そして、凹部３３は凸部３２側を凹弧面とし、他側を面方向が軸心３０ａに向う平面としてパチンコ球と点接触するようにして、パチンコ球を球送り方向に確実に送るようにしている。また、移送路２８の始端部に肉盛部２８ａを設けて通路幅を球径にほぼ等しい約１１．５ｍｍとしてパチンコ球を凹部３２に確実に咥え込ませるようにしており、連続して流下する後続のパチンコ球の下面をけたくることなく、凸部３２先端がパチンコ球Ｂ１，Ｂ２間に確実に臨むようにしている。
【００５０】
そして、この実施の形態の球払出装置１１は、ステッピングモータ３０への電源供給を停止してから回転体２７が回転し得る範囲（ストップゾーン）を加味して、前記回転体２７および検出センサ３１が配設され、前記検出センサ３１により所定の個数のパチンコ球が検知されてモータ３０への電源を停止してから前記ストップゾーンの構成角分回転体２７が回転したとしても、球供給路２６のパチンコ球が回転体２７の凸部３２（球圧が軸心３０ａに向って作用する直線状面３２ａから真円弧状面３２ｃにかけて）に支持されて待機するように設定している。前記ストップゾーンはオーバーゾーンＯ（モータの惰性により回転体２７が回転し得る範囲）とスリップゾーンＳ（パチンコ球の球圧により回転体２７が回転し得る範囲）とにより構成される。なお、当然のことながらストップゾーンの構成角は回転体２７のピッチ角Ｐより小である（Ｏ＋Ｓ＜Ｐ）ように設定される。というのは、ピッチ角Ｐよりストップゾーンの構成角が大（Ｏ＋Ｓ＞Ｐ）となると余分なパチンコ球が払出されることになるからである。この実施の形態においてモータ３０の惰性により余分に回転し得る角度は７．５°（３６０°／４８）であり、これはステッピングモータ３０の対極数（ｐ）から求められる。
【００５１】
次に、前記球払出装置１１の払出し動作について図１５を参照して説明する。前記屈曲誘導樋１０の球通路２４から球供給路２６にパチンコ球が供給され、図１５（ａ）に示すように最先のパチンコ球Ｂ１が回転体２７の凸部３２に支持されてランダムに並ぶ。この状態で制御回路１３を介して貸球または賞球の払出し信号が発せられるとモータ３０に電源が供給され、回転体２７を図１５（ａ）において矢印で示す時計回り方向に回転駆動させる。このときパチンコ球は球圧がほぼ軸心３０ａに向って作用する直線状部３２ａの終端から真円弧状部３２ｃにかけての凸部３２に支持されている。すると、球供給路２６の最先のパチンコ球Ｂ１は図１５（ｂ）に示すように球支持部３２からすぐに凹部３３に受入れられると共に凸部３２先端が後続のパチンコ球Ｂ２間に臨む。そして、パチンコ球Ｂ１は図１５（ｃ）に示すように前記凹部３３の軸心３０ａに向う平坦面に押されて移送路２８を移動し、後続のパチンコ球Ｂ２が球支持部３５に支持される。さらに、回転体２７が回動すると図１５（ｄ）に示すようにパチンコ球Ｂ１が球受部３３の拘束から解放されて排出通路２９に落下しセンサ３１で検出され、排出樋１２に排出され、パチンコ球Ｂ２が凸部３２の直線状面３２ａで支持されることになる。そして、所定個数の払出しが行われ、センサ３１によりパチンコ球が検知されると停止信号により電源供給を停止してモータ３０の駆動がオフする。
【００５２】
そして、このとき高速の払出しによりモータ３０が惰性で回転しても、図１６（ａ）の状態から図１６（ｂ）に示すオーバーゾーンＯが前記した７．５°でありパチンコ球は未だ凸部３２の直線状面３２ａで支持された状態にある。この状態で凸部３２の直線状面３２ａで支持されたパチンコ球に後続の球荷重および球圧が掛かることにより回転モーメントが生じて図１６（ｃ）に示すように回転体２７が回転し得る。このとき、球圧が確実に軸心３０ａに向って作用する真円弧状面３２ｃに支持されるまでのスリップゾーンＳが４５．５°である。そして、この回転体２７のピッチ角Ｐが９０°（３６０°／４）であるから７．５°（Ｏ）＋４５．５°（Ｓ）＜９０°（Ｐ）となり前記条件を満たしており、過回動によりパチンコ球が払出されることはない。なお、ステッピングモータ３０が惰性回転することなく図１６（ａ）の状態で停止することもあるため、オーバーゾーンＯがなくスリップゾーンＳが５３°となることもありうる。また、検出センサ３１の配設位置および通路形状によってはオーバーゾーンＯのみの構成角ですぐに真円弧状面３２ｃに支持されるようにすることも可能である。上記実施の形態の回転体２７のように、球圧が軸心３０ａに向うように作用する真円弧状面３２ｃの距離に余裕がある場合には特に制御がしやすくなる。
【００５３】
このように、モータ３０への電源供給を停止してオフしても惰性により回転する可能性があるが、球供給路２６のパチンコ球は最終的には図１５（ａ）に示すように球圧が軸心３０ａに向って作用する凸部３２で支持されるので、回転体２７に球圧が掛かっても球圧が軸心３０ａに向って作用し回転モーメントが働かず、モータ３０の駆動以外で無用に回転体２７が回転することがないのでパチンコ球が誤って払出されることがない。したがって、モータ３０への電源供給を停止しても凸部３２で支持される状態を維持する。当然払出し個数等の条件によりオーバーゾーンＯまたはスリップゾーンＳで静止することもあるが、払出し動作には何等問題はない。
【００５４】
本実施の形態において、駆動源のモータ３０をステッピングモータとしていることから、ステッピングモータ（対極数が４８）の性質上オーバーゾーンＯが７．５°と小さい角度に設定することができるが、ステッピングモータ以外のモータであると惰性回転はもっと大きいものとなり得る。このため、払出しにステッピングモータ以外のモータを使用する場合には惰性回転し得る回動範囲を予め想定して、球圧が確実に軸心３０ａに向って作用する軸心３０ａを中心とした真円弧状面３２ｃにパチンコ球が支持されるまでのオーバーゾーンＯを設定して検出センサ３１を設けるようにすればよい。また、従来の球払出装置は、停止位置をポイント（点）として停止するようにしていたために、回転体２７を制御するセンサ等の制御手段が別途必要となって構造が複雑でコスト高となっていたが、本実施の形態における球払出装置１１は、回転体２７の停止位置をゾーン（範囲）として幅を持たせるようにしているので、モータ３０への電源供給を停止しても最終的にパチンコ球は、球圧が確実に軸心３０ａに向うように作用する凸部上面（回転軸３０ａを中心とした内接円または外接円との接点および真円弧状面３２ｃを有する形状）で支持される。このため、この状態で回転体２７に球圧が掛かっても球圧が軸心３０ａに向って作用し回転モーメントが働かず、モータ３０の駆動以外で無用に回転体２７が回転することがなく余分なパチンコ球を払出すことがない。したがって、モータ３０への電源供給を停止してもパチンコ球の球圧が軸心３０ａに向うように作用する凸部で支持される状態を維持し、回転体２７を停止させることができ、モータの発熱等による効率低下を防ぐことができモータ３０の長期間の耐用が可能となる。
【００５５】
なお、停止位置は真円弧状面３２ｃに限定されるものではなく、球圧が軸心３０ａに向うように作用する巴状の円弧状面３２ｂであっても直線状面３２ａであってもよく、回転軸３０ａを中心とした内接円または外接円との接点を有するようにすればよい。このとき、球圧が軸心３０ａに向うように作用する範囲は内接円または外接円との接点近傍の直線状面３２ａまたは円弧状面３２ｂであり、軸心３０ａを中心とした真円弧状部３２ｃの軌跡に近しい範囲である。なお、前記接点が前記直線状面３２ａに在る場合には必ず直線状面３２ａの端点であり中間位置にはありえない。というのも、直線状面３２ａの中間位置にあると凸部３２上面が「軸心３０ａとの距離が漸次減少する」ことにならないからである。
【００５６】
また、前記凸部３２および凹部３３の設置数は、上記実施の形態に限定されるものではなく、本発明の構成を逸脱しない範囲で複数等間隔に設けるようにすればよい。しかし、前記凸部３２および凹部３３の設置数は限定されないものの、回転体２７を所定の大きさ内で凸部３２および凹部３３の設置数を多くすると直線状面３２ａが設け難くなって直線範囲が狭くなり、逆に直線状面３２ａを確保するために回転体２７の径を大きくするとモータ３０のトルクを大きくしなければならずコスト高となる。このため、前記凸部３２および凹部３３の設置数は４〜６箇所が好ましい。また、球圧が軸心３０ａに向うように作用する範囲が狭いと、従来の球払出装置のように停止位置をポイント（点）として停止制御することになるが、その際にはポイントで停止制御する制御手段を設けるのが好ましい。しかし、例え球圧が軸心３０ａに向うように作用する範囲が狭くても最終的にそこで停止するようにモータ３０の停止位置（電源オフ位置）をゾーン（範囲）として幅を持たせて制御すればポイントで停止制御する制御手段を設ける必要はなく、回転体２７を最終的に球圧が軸心３０ａに向うように作用する停止位置で停止させることができる。
【００５７】
なお、本来は球圧による不都合をなくすために球供給路２６を屈曲したりして球圧を減少させるようにするが、上記球払出装置１１のように球圧により余分に回転するスリップゾーンＳを加味して停止制御する場合には敢えて減圧することはなく、却って球圧により回転体２７を回転させて球圧が軸心３０ａに向うように作用する真円弧面３２ｃで支持させるようにしてもよい。
【００５８】
また、前記直線状面３２ａは必ずしも凸部３２の始端部に設けることはなく、図１７に示すように凸部３２から凹部３３にかけての円弧状面３２ｂ、３２ｂ間に設けるようにしても、本発明の構成を逸脱することはなく従来の凸部を円弧状のみにより形成するのに比べてより高速の払出しが可能となる。なお、図１８に示すようにほぼ凸部３２の全体を直線状面３２ａに形成するようにしてもよく、好ましくは該直線状面３２ａに球圧が軸心３０ａに向って作用する作用点（軸心から直線状面３２ａに向って引かれる仮想線が直交する点）を設けるか一部に球圧が軸心３０ａに向って作用する円弧状面３２ｂを設けるのがよい。また、前記直線状面３２ａの端部を直接凹部３３との連接部としてもよく、前記端部と回転体２７の回転軸心３０ａを結ぶ仮想線が前記直線状面３２ａと直交するようにするのがよい。
【００５９】
また、球供給路２６および移送路２８，排出通路２９の通路形状においても上記実施の形態で示したものに限定されるものではなく、球供給路２６を軸３０ａ上に設けるようにしても球供給路２６から排出通路２９にかけて直線状に設けるようにしてもよい。さらに、球供給路２６を回転体２７の斜め上方または側方位置に設け、パチンコ球が回転体２７の斜め上方または側方から供給されるように設けるようにしてもよい。
【００６０】
上記実施の形態において球供給路２６を単列としたが、複列で供給するようにしてもよい。このとき回転体２７をそれぞれの球供給路２６にピッチをずらすことなく臨ませるようにしても、回転体２７を複列分のパチンコ球を支持し得る幅を有するようにしてもよい。但し１個単位の払出しとする際には、移送路２８および排出通路２９をそれぞれ異ならせて排出のタイミングをずらすようにして、複列で供給されるパチンコ球を１個ずつ交互に払出すようにすればよい。なお、球供給路２６を軸心３０ａ上に設けるようにすれば回転体２７をピッチをずらして設けるようにして、一方の回転体が凹部３３でパチンコ球を受けても球圧が軸心に向うように作用するため何等問題はない。
【００６１】
さらに、前記球供給路２６の縮幅方向は限定されるものではなく、上記実施の形態に示した前記回転体２７の回転方向であっても回転方向と直交する回転軸３０ａ方向であってもよい。また、上記した球供給路２６は一側壁を狭めるようにして約１２ｍｍの通路幅に縮幅するようにしたが両側壁を狭めるように縮幅するようにしてもよい。また、球供給路２６の始端部の幅員を２１ｍｍの幅広としたが、この通路幅に限定されることなく、幅員をより幅広としても球供給路２６全体を終端と同じ１２ｍｍの通路幅としてもよい。なお、球供給路２６の始端部を１２ｍｍの幅員としたときには、少なくとも屈曲誘導樋１０の球通路２４の終端の幅員を同じパチンコ球ほぼ１個分の１２ｍｍの通路幅とするのが好ましい。
【００６２】
また、前記排出通路２９の形状は、衝撃をより緩衝するために図１９に示すように湾曲状に拡幅して形成するのが好ましく、このとき湾曲部にさらに衝撃を吸収するようにウレタン，ゴム等の緩衝部材４１を可動または固定的に設けるのがよい。緩衝部材４１を設けることにより払出し時の衝撃音も緩和することができる。
【００６３】
なお、実施の形態において球払出装置１１を機構板６の裏面に設けるようにしたが、必ずしも機構板６に設けることはなく、直接遊技盤３の裏面に設けるようにしても前面枠２の裏面に設けるようにしてもよいのはいうまでもない。
【００６４】
また、本発明の球払出装置１１は、実施の形態で示した貸球および賞球を払出すパチンコ遊技機の球払出装置に限定されるものではなく、例えばパチンコ遊技機間に設けられる球貸し機、あるいは球タンクへの補給機、特に高速の払出しが望まれるジェットカウンター等の球計数機にも適用することができる。
【００６５】
また、実施の形態において遊技機をパチンコ遊技機として説明したが、本発明の球払出装置は、雀球遊技機，アレンジボール式遊技機，パチンコ球を使用した回胴式または画像式のスロット遊技機（パチロット）等の他の遊技機にも適用できることは言うまでもない。特に、スロット遊技機（パチロット）においては、遊技が１ゲーム毎に精算して行われ、しかも賞球の精算後しか次のゲームが開始できないようになっているために、賞球の高速での払出しが望まれており、本発明のように高速での払出しが可能な球払出装置は最適である。
【００６６】
【発明の効果】
以上に述べたように本発明に係る球払出装置は、パチンコ球が連続で供給される球供給路と、外周に定ピッチで凸部と凹部の歯列が複数設けられた回転体とを備え、前記回転体の凸部上面を凹部にわたり軸心との距離が漸次減少するように設定し、その一部に直線状面を形成するようにしたので、凹部への咥え込みを迅速にしてより高速の払出しに対応することができる。また、凸部上面に球圧が軸心に向って作用する形状とすることで、球圧により過回動することがなくパチンコ球を過払いすることがない。さらに、回転体の過回動を想定して回転体および球センサを設けることにより、回転体を定位置に制御する回転制御手段を別途設ける必要がないのでコストの低減を図ることができる。
【図面の簡単な説明】
【図１】本発明が適用されるパチンコ遊技機の裏面図である。
【図２】本発明に係る球払出装置を外した状態の斜視図である。
【図３】図２の球払出装置の分解斜視図である。
【図４】球払出装置部分の正断面図である。
【図５】球払出装置の側断面図である。
【図６】回転体の正面図である。
【図７】（ａ）〜（ｄ）はパチンコ球の払出しの作用説明図である。
【図８】（ａ）〜（ｃ）はパチンコ球の払出しの要部作用説明図である。
【図９】他の実施の形態の回転体の正面図である。
【図１０】移送路の要部断面図である。
【図１１】他の実施の形態の移送路の要部断面図である。
【図１２】（ａ），（ｂ）は他の実施の形態の回転体の正面図である。
【図１３】（ａ），（ｂ）は他の実施の形態の回転体の正面図である。
【図１４】他の実施の形態の回転体の正面図である。
【図１５】（ａ）〜（ｄ）はパチンコ球の払出しの作用説明図である。
【図１６】（ａ）〜（ｃ）は電源停止後の回転体の回転を示す作用説明図である。
【図１７】他の実施の形態の回転体の正面図である。
【図１８】さらに他の実施の形態の回転体の正面図である。
【図１９】排出通路の他の実施の形態を示す正面図である。
【図２０】球誘導樋部分の正断面図である。
【図２１】球誘導樋の平面図である。
【符号の説明】
１１　　　　　　　　　球払出装置
２６　　　　　　　　　球供給路
２７　　　　　　　　　回転体
２８　　　　　　　　　移送路
２９　　　　　　　　　排出通路
３０　　　　　　　　　モータ（電気的駆動源）
３０ａ　　　　　　　　回転軸（軸心）
３１　　　　　　　　　検出センサ
３２　　　　　　　　　凸部
３２ａ　　　　　　　　直線状面
３２ｂ　　　　　　　　円弧状面
３２ｃ　　　　　　　　真円弧面
３３　　　　　　　　　凹部
Ｄ　　　　　　　　　　深さ
【図１】
2004024348.tif 000003
【図２】
2004024348.tif 000004
【図３】
2004024348.tif 000005
【図４】
2004024348.tif 000006
【図５】
2004024348.tif 000007
【図６】
2004024348.tif 000008
【図７】
2004024348.tif 000009
【図８】
2004024348.tif 000010
【図９】
2004024348.tif 000011
【図１０】
2004024348.tif 000012
【図１１】
2004024348.tif 000013
【図１２】
2004024348.tif 000014
【図１３】
2004024348.tif 000015
【図１４】
2004024348.tif 000016
【図１５】
2004024348.tif 000017
【図１６】
2004024348.tif 000018
【図１７】
2004024348.tif 000019
【図１８】
2004024348.tif 000020
【図１９】
2004024348.tif 000021
【図２０】
2004024348.tif 000022
【図２１】
2004024348.tif 000023